(57)【要約】      （修正有）【課題】使用者が身体の被打撃部位に応じて、衝撃力を任意に択一的に選択することができ、使用者が所望する打撃効果が期待できる健康器具を提供する。【解決手段】長尺状の棒状体２と、該棒状体２の両端部にそれぞれ設けられた筒状の弾性を有する緩衝部材３，５とを備え、一方の緩衝部材３と他方の緩衝部材５とは、間隔を有し、一方の緩衝部材３の外径は、他方の緩衝部材５の外径よりも小さくなるように設定されている。【選択図】図１
2012070911.tif 000002
【特許請求の範囲】
【請求項１】
長尺状の棒状体と、該棒状体の両端部にそれぞれ設けられた筒状の弾性を有する緩衝部材とを備え、一方の緩衝部材と他方の緩衝部材とは、間隔を有し、一方の緩衝部材の外径は、他方の緩衝部材の外径よりも小さくなるように設定されていることを特徴とする健康器具。
【請求項２】
前記請求項１に記載の健康器具において、前記棒状体が金属製のパイプからなり、前記両方の緩衝部材は、スポンジからなることを特徴とする健康器具。
【請求項３】
前記請求項１又は２に記載の健康器具において、健康器具の全長が３０〜４０ｃｍで、且つ重量が１００〜１５０グラムに設定され、前記大径側の緩衝部材の外径が３０〜４０ｍｍ、前記小径側の緩衝部材の外径が２０〜２９ｍｍに設定されていることを特徴とする健康器具。
【請求項４】
前記請求項２に記載の健康器具の製造方法であって、前記棒状体の端部に、水溶性の潤滑液を塗布し、その後に、前記両方の緩衝部材を、水溶性の潤滑液が塗布された棒状体の端部に嵌合することを特徴とする健康器具の製造方法。
【発明の詳細な説明】
【技術分野】
【０００１】
本発明は、例えば、肩叩き等に使用できる健康器具およびその製造方法に関する。
【背景技術】
【０００２】
従来、血流促進療法として、健康器具で身体各部位を叩き、簡易に血流を促進させる療法が周知である。前記健康器具としては、棒状体からなるグリップと、このグリップの一端側の周囲を包み込むように設けられたクッション用のスポンジ部分と、このスポンジ部分内に埋め込まれた板形磁石とを備えるものが公知である（例えば、特許文献１参照。）。
【０００３】
そして、かかる健康器具を使用する際には、グリップを持って肩こり、腰等の鈍痛箇所（被打撃部位）を複数回叩くことにより、その際の衝撃力を利用して疲れた症状を改善するようにしている。
【先行技術文献】
【特許文献】
【０００４】
【特許文献１】特開平１０−２３４８０８号公報
【発明の概要】
【発明が解決しようとする課題】
【０００５】
例えば、首から肩にかけての筋肉が比較的多い部位では、若干衝撃力が強い方が心地良く感じるのに対して、肩の関節や膝等の骨質部位（筋肉が比較的少ない部位）は、若干衝撃力が弱い方が心地良く感じる傾向にある。
【０００６】
しかしながら、前記特許文献１に記載の健康器具は、グリップの一端側に設けた単一の弾性を有するスポンジ部分で、被打撃部位を叩くことにより、グリップの打撃力を被打撃部位に与えるものである。
【０００７】
従って、例えば、スポンジ部分の厚さが小さい（スポンジ部分の直径が小さい）場合、スポンジ部分での緩衝効果が小さいため、打撃時の衝撃力が大きくなる。その結果、筋肉が比較的多い部位では心地良く感じるが、筋肉が比較的少ない部位は、痛く感じる。
【０００８】
反対に、スポンジ部分の厚さが大きい（スポンジ部分の直径が大きい）場合、スポンジ部分での緩衝効果が大きいため、打撃時の衝撃力が小さくなる。そのため、筋肉が比較的少ない部位では心地良く感じるが、筋肉が比較的多い部位は、打撃によるマッサージ効果が小さく感じる。なお、かかる健康器具による打撃効果は、使用者の年齢等によっても相違する。
【０００９】
以上のように、前記特許文献１に記載の健康器具は、使用者が所望する被打撃部位に応じて打撃時の衝撃力が選択できないため、任意の被打撃部位に対応した十分な打撃効果が期待できるものではなかった。
【００１０】
本発明は、使用者が身体の被打撃部位に応じて、衝撃力を任意に選択することができ、使用者が所望する打撃効果が期待できる健康器具およびその製造方法を提供することを目的とする。
【課題を解決するための手段】
【００１１】
本発明は、前記課題を解決するためになされたもので、健康器具としての特徴は、長尺状の棒状体と、該棒状体の両端部にそれぞれ設けられた筒状の弾性を有する緩衝部材とを備え、一方の緩衝部材と他方の緩衝部材とは、間隔を有し、一方の緩衝部材の外径は、他方の緩衝部材の外径よりも小さくなるように設定されていることにある。
【００１２】
かかる本発明の健康器具は、使用者が被打撃部に応じて衝撃力を選択することができる。すなわち、関節等の骨質部位は、大径側の緩衝部材で叩き、筋肉が比較的多い部位は、小径側の緩衝部材で叩くことができる。このように、健康器具は、叩く身体の部位に応じて、両方の緩衝部材を択一的に選択して、健康器具を使用することができる。
【００１３】
前記健康器具において、前記棒状体が金属製のパイプからなり、前記両方の緩衝部材は、スポンジからなる。
【００１４】
前記健康器具において、健康器具の全長が３０〜４０ｃｍで、且つ重量が１００〜１５０グラムに設定され、前記大径側の緩衝部材の外径が３０〜４０ｍｍ、前記小径側の緩衝部材の外径が２０〜２９ｍｍに設定されている。
【００１５】
かかる健康器具は、軽量であるため、長時間使用しても疲れることがほとんどなく、特に高齢者が使用するのに最適である。
【００１６】
前記健康器具の製造方法であって、前記棒状体の端部に、水溶性の潤滑液を塗布し、その後に、前記両方の緩衝部材を、水溶性の潤滑液が塗布された棒状体の端部に嵌合することにある。
【００１７】
かかる方法を使用して健康器具を製造する場合には、潤滑液の滑りが良好である性質を利用して、両方の緩衝部材を棒状体に容易且つ迅速に嵌合することが可能となる。その結果、健康器具を簡単に製造することができる。
【発明の効果】
【００１８】
本発明は、筋肉が比較的少ない関節等の骨質部位は、大径側の緩衝部材で叩き、筋肉が比較的多い部位は、小径側の緩衝部材で叩くことができる。このように、健康器具は、叩く身体の部位に応じて、両方の緩衝部材を択一的に選択して、健康器具を使用することにより、任意の被打撃部位の疲れた症状を改善することができる。
【図面の簡単な説明】
【００１９】
【図１】本発明の健康器具の全体を示す正面断面図である。
【図２】同健康器具の全体を示す正面図である。
【図３】同健康器具の全体を示す斜視図である。
【図４】同健康器具の全体を示す分解斜視図である。
【図５】（ａ）は図２におけるＡ−Ａ線矢視断面図、（ｂ）は図２におけるＢ−Ｂ線矢視断面図である。
【図６】本発明の健康器具の一方を把持した状態の斜視図である。
【図７】同健康器具の使用状態を示し、（ａ）は大径緩衝部材で肩の間接部分を叩いている状態の斜視図、（ｂ）は小径緩衝部材で首筋から肩にかけた部位を叩いている状態の斜視図である。
【図８】同健康器具の使用状態を示し、（ａ）は大径緩衝部材または小径緩衝部材で背中を叩いている状態の斜視図、（ｂ）は使用者が立ち上がる際の同健康器具の使用状態を示す斜視図である。
【図９】同健康器具を示し、（ａ）は全体を示す正面図、（ｂ）は左側面図、（ｃ）は右側面図である。
【図１０】同健康器具を示す斜視図である。
【発明を実施するための形態】
【００２０】
以下、本発明の実施の形態を図面に基づいて説明する。図１〜図１０に本発明に係る健康器具１を示す。
【００２１】
健康器具１は、図１〜４に示すように、長尺状の棒状体２と、この棒状体２の両側にそれぞれ設けられた緩衝部材３、５とを備えている。健康器具１の全長Ｌは３０〜４０ｃｍに設定され、しかも、全体の重量が１００〜１５０グラムの軽量に設定されている。
【００２２】
前記棒状体２は、所定長さのステンレスパイプ等の金属製または硬質の合成樹脂製の円筒状体からなり、その外径Ｄ１は、１３〜１８ｍｍに設定されている。また、棒状体２の両端開口には、閉塞体６がそれぞれ嵌合されている。
【００２３】
一方の緩衝部材（小径緩衝部材）３は、他方の緩衝部材（大径緩衝部材）５よりも小径に設けられている。すなわち、小径緩衝部材３は、スポンジを筒状体に成形したもので、棒状体２の一方に被せられている。スポンジとしては、適度な弾性を有する発泡樹脂成形品、例えば、ポリウレタン等の発泡体を挙げることができる。
【００２４】
また、小径緩衝部材３は、その全長Ｌ１が８〜１２ｃｍで、且つ、外径Ｄ２が２０〜２９ｍｍに設定されている。
【００２５】
大径緩衝部材５は、前記小径緩衝部材３と同質のスポンジを筒状体に成形したもので、棒状体２の他方に被せられている。大径緩衝部材５は、その全長Ｌ２が１０〜１５ｃｍで、且つ、外径Ｄ３が３０〜４０ｍｍに設定されている。
【００２６】
また、大径緩衝部材５の端部には、合成樹脂製の有底筒状のキャップ１０が、着脱自在に嵌合できるようになっている。
【００２７】
以上のように、棒状体２の全長Ｌに対して、小径緩衝部材３の全長Ｌ１および大径緩衝部材５の全長Ｌ２を設定することにより、小径緩衝部材３と大径緩衝部材５とは、所定の間隔を有し、棒状体２の中央部が露出している。なお、小径緩衝部材３の全長Ｌ１、大径緩衝部材５の全長Ｌ２および中央部２ａの長さ寸法Ｌ３は、使用者が把持できる程度にそれぞれ設定するのが望ましい。
【００２８】
次に、前記健康器具１の製造方法の一例について説明する。
【００２９】
小径緩衝部材３および大径緩衝部材５は、それぞれの内径が棒状体２の外径Ｄ１に対して同等または若干小さくなるように成形する。
【００３０】
先ず、棒状体２の両端部に、水溶性の潤滑液（例えば、石鹸水）を塗布する。
【００３１】
その後に、前記小径緩衝部材３および大径緩衝部材５を、石鹸水が塗布された棒状体２の端部にそれぞれ嵌合する。石鹸水は滑りが良好であるため、小径緩衝部材３および大径緩衝部材５を、棒状体２の所定位置まで容易且つ迅速に摺動させて嵌合させることができる。
【００３２】
なお、小径緩衝部材３および大径緩衝部材５の嵌合は、同時に行ってもよいが、一方を嵌合した後に、他方を嵌合するようにしてもよい。すなわち、棒状体２の一端部に石鹸水を塗布した後に、この石鹸水が塗布された棒状体２の一端部に、小径緩衝部材３を嵌合する。さらに、棒状体２の他端部に石鹸水を塗布した後に、この石鹸水が塗布された棒状体２の他端部に、大径緩衝部材５を嵌合する。または、反対に大径緩衝部材５から嵌合するようにしてもよい。
【００３３】
以上のように、小径緩衝部材３および大径緩衝部材５を、棒状体２に被せた後において、小径緩衝部材３および大径緩衝部材５は、スポンジからそれぞれ成形されていることから、棒状体２に塗布されていた石鹸水を吸収する。
【００３４】
小径緩衝部材３および大径緩衝部材５に吸収された石鹸水は、自然乾燥する。この結果、小径緩衝部材３および大径緩衝部材５は棒状体２に密着して棒状体２を摺動することを防止できるため、強固に固定することが可能となる。
【００３５】
次に、前記健康器具１の使用態様について、図６〜図１０を参照しながら説明する。
【００３６】
図６および図７（ａ）は、健康器具１の小径緩衝部材３を持って、大径緩衝部材５で肩の関節部分を叩いている状態を示す。なお、図９および図１０に示すように、キャップ１０は大径緩衝部材５から外しておくのが好ましい。
【００３７】
小径緩衝部材３はスポンジから成形されているため、適度の弾性と滑り止め作用がある。また、小径緩衝部材３は、その全長Ｌ１が８〜１２ｃｍで、且つ、外径Ｄ２が２０〜２９ｍｍに設定されているため、高齢者のように握力が弱い使用者であっても、小径緩衝部材３を滑ることなく、確実に把持することができる。
【００３８】
また、健康器具１は、軽量であるため、片手で容易に振ることができる。この際に、大径緩衝部材５は、棒状体２の他端部に設けられているため、大径緩衝部材５に適度なモーメントを与えることが可能となる。
【００３９】
しかも、大径緩衝部材５は、小径緩衝部材３よりも弾性力が大きいため、筋肉が比較的少ない部位を叩くのに効果的である。すなわち、筋肉が比較的少ない部位は、棒状体２の衝撃力が骨に伝わり易いが、このように、大径緩衝部材５でソフトに叩くことにより、その衝撃力を適度に緩和することができ、被打撃部位の血流が良くなる。
【００４０】
図７（ｂ）は、健康器具１の大径緩衝部材５を持って、小径緩衝部材３で首筋から肩にかけて比較的筋肉の多い部位を叩いている状態を示す。
【００４１】
大径緩衝部材５は、スポンジから成形されているとともに、その全長Ｌ２が１０〜１５ｃｍで、且つ、外径Ｄ３が３０〜４０ｍｍに設定されている。従って、大径緩衝部材５は、小径緩衝部材３と同様に、適度の弾性と滑り止め作用があるとともに、確実に把持することができる。
【００４２】
小径緩衝部材３は、強い衝撃力を被打撃部位に与えることができるため、筋肉が比較的多い部分を強く叩くのに効果的である。
【００４３】
図８（ａ）は、健康器具１の小径緩衝部材３または大径緩衝部材５の一方を持って、他方で背中叩きを行っている状態を示す。かかる場合には、肩が上がり難い高齢者であっても、健康器具１が適度な全長Ｌに設定されているため、身体を痛めることなく、背中の所望する被打撃部位を叩くことが可能となる。
【００４４】
以上のように、本実施の形態の健康器具１は、軽量であるため、長時間使用（例えば、２０〜３０分間使用）しても疲れることがほとんどなく、また、叩く部位に応じて、衝撃力を選択することができる。すなわち、関節等の骨質部位は、大径緩衝部材５で叩き、その他の筋肉の部分は、小径緩衝部材３で叩くことができる。このように、健康器具１を叩く身体の部位に応じて、任意に選択して使用することで、ソフトまたは力強い理想的な叩きができる。
【００４５】
図８（ｂ）は、健康器具１を使用者が立ち上がる際の補助具として使用する場合について説明する。高齢者においては、座った状態から立ち上がる際に、何か支えとなるものが欲しいと思うが、適当な支えとなる物がない場合、介添え者が必要となる場合が多いのが現状である。
【００４６】
そこで、同図に示すように、キャップ１０を大径緩衝部材５の端部に被せるとともに、キャップ１０が上に位置するように、健康器具１を上下方向に立てる。そのキャップを掌１１で支え、小径緩衝部材３側を床面や畳等に接地させる。そして、キャップ１０を掌１１で支えて中腰になり、立ち上がることができるため、非常に便利である。
【００４７】
また、健康器具１の使用態様は、前記実施の形態に限定されない。例えば、健康器具１の露出する中央部２ａに紐を結び付け、その紐をベッド等の適宜箇所か使用者の足裏に係止する。そして、小径緩衝部材３および大径緩衝部材５をそれぞれの左右の手で把持し、腕を曲げたり伸長したりして、上半身を起こす動作をする。
【００４８】
また、使用者がベッド等に横になった状態で、健康器具１の中央部２ａを把持し、手首を任意の方向に振る動作を行う。また、同様に使用者がベッド等に肘を当て（肘を立てて）健康器具１を前後に振る。同様に腕を上げてから降ろす運動をする。以上の動作を左右両手において行う。
【００４９】
また、前記健康器具１は左右の手で把持して２本同時に使用することも可能であり、かかる場合には、一方の健康器具１の大径緩衝部材５で被打撃部位を叩き、他方の健康器具１の小径緩衝部材３で、別の被打撃部位を叩くことも可能である。
【００５０】
前記健康器具１の使用態様は、前記の例示に限定されるものではなく、健康器具１は、棒状体２の両端部が、大小径緩衝部材３、５でそれぞれ被覆されているため、任意の態様において安全に使用することができる。
【００５１】
また、小径緩衝部材３および大径緩衝部材５を、棒状体２に嵌合する方法は、前記石鹸水を使用する場合に限定されるものではない。例えば、小径緩衝部材３および大径緩衝部材５と、棒状体２との間にノズルで圧縮エアを供給することにより、小径緩衝部材３および大径緩衝部材５の内径を拡径させながら、小径緩衝部材３および大径緩衝部材５を嵌合することも可能である。
【００５２】
また、図１に仮想線で示すように、キャップ１１を小径緩衝部材３に着脱自在に嵌合することも可能である。かかるキャップ１１は、前記キャップ１０よりも小径であるため、例えば、キャップ１１を足裏に押圧したり、叩いたりしてマッサージするのに最適である。
【符号の説明】
【００５３】
１        健康器具
２        棒状体
３        緩衝部材（小径緩衝部材）
５        緩衝部材（大径緩衝部材）
６        閉塞体
１０      キャップ
１１      キャップ
Ｄ１      棒状体の外径
Ｄ２      小径緩衝部材の外径
Ｄ３      大径緩衝部材の外径
【図１】
2012070911.tif 000003
【図２】
2012070911.tif 000004
【図３】
2012070911.tif 000005
【図４】
2012070911.tif 000006
【図５】
2012070911.tif 000007
【図６】
2012070911.tif 000008
【図７】
2012070911.tif 000009
【図８】
2012070911.tif 000010
【図９】
2012070911.tif 000011
【図１０】
2012070911.tif 000012